【事件の表示】
　特願２００４−５４５０３９「使用者の視覚障害の特徴的症状及び再生嗜好によるビジュアル・コンテンツ適応変換方法及びシステム」拒絶査定不服審判事件〔平成１６年　４月２９日国際公開、ＷＯ２００４／０３６４４７、平成１８年　３月１６日国内公表、特表２００６−５０９２２３〕について、次のとおり審決する。
【結　論】
　本件審判の請求は、成り立たない。
【理　由】
第１　手続の経緯
平成１５年１０月１５日：国際特許出願
（優先日　平成１４年１０月１６日　大韓民国）
平成１７年　４月１８日：国内書面
平成１７年　６月１７日：翻訳文提出
平成２０年　９月３０日：拒絶理由
平成２１年　２月２７日：意見
平成２１年　２月２７日：手続補正（以下「手続補正１」という。）
平成２１年　８月２７日：拒絶査定
平成２１年１２月２４日：審判請求
平成２１年１２月２４日：手続補正（以下「本件補正」という。）
平成２２年１２月　２日：審尋
平成２３年　３月　４日：回答
　
第２　補正の却下の決定
［補正の却下の決定の結論］
　本件補正を却下する。
　
［理由］
１　本件補正の内容
　本件補正は特許請求の範囲を補正するものである。
　
２　本件補正の目的
　本件補正前の発明は，手続補正１により補正された特許請求の範囲の記載，並びに，明細書及び図面の記載からみて，手続補正１により補正された特許請求の範囲の請求項１ないし１７に記載された事項により特定されるとおりのものである（以下「本件補正前発明１」，「本件補正前発明２」などという。）。また，本件補正後の発明は，本件補正により補正された特許請求の範囲の記載，並びに，明細書及び図面の記載からみて，本件補正により補正された特許請求の範囲の請求項１ないし１０に記載された事項により特定されるとおりのものである（以下「本件補正後発明１」，「本件補正後発明２」などという。）。
　本件補正の内容を整理すると，以下のとおりとなる。
(1)　補正事項１
　本件補正前発明１及び１４を特定するために必要な事項である「使用者の視覚障害の症状及び再生嗜好についての情報」のうち「使用者の」「再生嗜好についての情報」について，「使用者のコンテンツ資源優先順位嗜好を含む」と限定して減縮する。
(2)　補正事項２
　請求項５，９ないし１３及び１６を削除し，また，これに伴い，請求項の番号を繰り上げて整理する。
　
　そうしてみると，本件補正は，平成１８年法律第５５号改正附則第３条第１項によりなお従前の例によるとされる同法による改正前の特許法第１７条の２（以下，単に「特許法第１７条の２」という。）第４項第１号に掲げる請求項の削除及び第４項第２号に掲げる特許請求の範囲の減縮を目的とする補正に該当する。
　そこで，本件補正後発明１について，特許法第１７条の２第５項において準用する同法第１２６条第５項に規定する要件を満たすか否か，すなわち，本件補正後発明１が特許出願の際独立して特許を受けることができるものであるか否かを以下で検討する。
　
３　本件補正後発明１
　本件補正後発明１は，本件補正により補正された特許請求の範囲の記載，並びに，明細書及び図面の記載からみて，本件補正により補正された特許請求の範囲の請求項１に記載された事項により特定される下記のとおりのものである。
　
　　　　　　　　　　　　　　　　　記
　
使用者の視覚障害の症状及び再生嗜好にビジュル・コンテンツを適応させる方法であって，
　ビジュアル・コンテンツを受信するステップと，
　使用者の視覚障害の症状及び再生嗜好についての情報を受け付け，標準化された記述構造で提供するステップと，
　前記情報を使用して前記受信したビジュアル・コンテンツを変換する方法を判定するステップと，
　前記判定された方法により，前記受信したビジュアル・コンテンツを変換するステップと，
　前記変換されたビジュアル・コンテンツを使用者に表示するステップと，
を備え，前記使用者の再生嗜好についての情報は，使用者のコンテンツ資源優先順位嗜好を含む，ビジュアル・コンテンツを適応させる方法。
　
４　引用例
　本願の優先日よりも前に頒布された刊行物である特開平１１−２７２５７４号公報（拒絶理由通知の引用文献１，以下「引用例」という。）には，各図とともに以下の事項が記載されている。
　
記載事項ア　
「【０００１】【発明の属する技術分野】本発明はインターネットやイントラネットなどのネットワーク上の情報を閲覧・利用する際，情報を受け取る側のクライアント情報機器の状況やそれを利用するユーザの個人的な状況を，情報配信サーバ側が把握してユーザ側の状況に適応した情報を送るようにした情報配信方法および情報配信システム並びに情報配信処理プログラムを記録した記録媒体に関する。」
　
記載事項イ　
「【００１１】そこで本発明は，現在のユーザに関する情報として，ユーザの個人的な状況やユーザの使用している情報機器の状況などを情報配信サーバ側で把握し，その把握結果に適合した情報をユーザ側の情報機器に送ることで，無駄な情報が送信されるのを大幅に減らし，ユーザの情報の絞り込み作業などを大幅に軽減するとともに通信伝送路の無駄使い（当審注：「無駄使い」は「無駄遣い」の誤記である。）や通信費用の無駄など，各種無駄を大幅に省くことを目的としている。」
　
記載事項ウ　
「【００３６】図１は本発明の実施の形態を説明するシステム構成を概念的に示す図であり，クライアント情報機器１と情報配信サーバ２，これらを接続する通信伝送路３で構成されている。
【００３７】クライアント情報機器（パソコンなど）１は，ユーザブラウザ１１，クライアント情報認識部１２，ユーザ個人情報登録部１３，カード読み取り部１４などを有している。
【００３８】ユーザ個人情報登録部１３には，このクライアント情報機器１を使用するユーザについての個人的な状況を示す内容（以下では，ユーザ個人情報という）が予め登録されている。その登録内容としては，そのユーザの年齢，職業，興味の対象，日常使用している言語，その他必要に応じて，視力が弱ければそれを示す情報や色弱があれば見づらい色についての情報，好みの表示レイアウトなど，それぞれのユーザの個人的な状況を示す内容である。
【００３９】なお，このような様々なユーザ個人情報を登録する際，各項目を予め用意したアンケート形式にして，ユーザが，それぞれの項目について，登録しておきたい項目に自己の状況を書き込むようにすれば，ユーザにとっては登録に要する手間を省くことができるので都合がよい。
【００４０】また，このような個々のユーザの様々な個人情報は，ユーザ個人情報登録部１３に登録するだけではなく，ＩＣカードなどの個人識別カード１５に登録しておいてもよい。そして，個人識別カード１５をカード読み取り部１４に挿入することにより，その個人識別カード１５の内容を読み取って，それをクライアント情報処理部１２に渡すようにする。このような個人識別カード１５を作成しておけば，他のクライアント情報機器においても使用できるので便利である。」
　
記載事項エ　
「【００４１】前述のクライアント情報処理部１２は，ユーザ個人情報登録部１３またはカード読み取り部１４から，ユーザの個人情報を取り出すだけでなく，使用するクライアント情報機器の状況を示す情報として，その情報機器に使用されているブラウザの状況についても認識する。たとえば，そのユーザ端末に使用されているブラウザの状況を示す情報として，表示ウインドウの縦横のサイズ，どのような表示デバイスであるか，解像度はどの程度かなどを認識する。なお，以下では，ユーザの個人的な状況を示す情報（ユーザ個人情報）とブラウザの状況を示す情報を併せてクライアント情報と呼ぶことにする。
【００４２】このようなクライアント情報は，ユーザが何らかの情報を情報配信サーバ２から取ろうとして，情報送信要求を送る際，その情報送信要求とともに通信伝送路３を通って情報配信サーバ２に送られる。
【００４３】一方，情報配信サーバ２は，配信すべきデータを格納するデータベース部２１，クライアント情報機器１から送られてきたクライアント情報（ユーザ個人情報やブラウザの状況を示す情報）などを基にして，配信すべき情報を選択，作成，さらには，再構成などの処理を行う配信情報処理部２２，クライアント情報機器１との間で情報の送受信制御を行う情報送受信制御部２３などを有している。
【００４４】配信情報処理部２２は，クライアント情報機器１から送られてきたクライアント情報（ユーザ個人情報やブラウザの状況を示す情報）に基づいて，送るべき情報をどのようにするかを決定し，クライアント情報に適合した情報を構成する。
【００４５】このような構成において次のその具体的な動作について説明する。なお，この実施の形態では，行うべき処理として，次の（１）と（２）で示される２つの処理のうち少なくとも一方を行う。
【００４６】（１）主に，クライアント情報機器１に使用されているブラウザの状況を示す情報を情報配信サーバ２側に知らせ，情報配信サーバ２側では，クライアント情報機器１で見やすく使いやすい情報となるように，編集，作成，再構成などの処理を施してクライアント情報機器１側に送る。
【００４７】（２）主に，ユーザの個人情報を主として情報配信サーバ２側に知らせて，情報配信サーバ２側で，そのユーザの様々な状況に適合した情報となるように，編集，作成，再構成などの処理を施してクライアント情報機器１側に送る。」
　
記載事項オ　
「【００４８】まず，上述の（１）について，図２のフローチャートを参照しながらその処理手順を説明する。この（１）の処理は主に，配信する情報をクライアント情報機器１で使用するブラウザに合わせて，見やすい状態の情報を提供するという処理内容である。
【００４９】クライアント情報認識部１２では，まず，ブラウザの状況を認識する（ステップｓ１）。具体的には，表示ウインドウの縦横のサイズ，表示デバイス，解像度などの認識を行う。次に，ユーザの個人情報を認識する（ステップｓ２）。
【００５０】このユーザの個人情報というのは，前述したように，そのユーザの年齢，職業，興味の対象，日常使用している言語，その他必要に応じて視力が弱ければそれを示す情報や色弱のユーザであれば見づらい色についての情報，好みの表示レイアウトなどの情報であるが，この（１）の処理では，その処理内容が，主に，クライアント情報機器１上で見やすく使いやすい表示を行うものであるため，ユーザ個人情報としては，ユーザの視力や色弱などに関する情報を用いる。
【００５１】これらのユーザ個人情報はユーザ個人情報登録部１３から取り出され，クライアント情報認識部１２に渡される。あるいは，その端末を使おうとするユーザが，自己の個人識別カード１５をカード読み取り部１４に挿入した場合は，その個人識別カード１５に記録されている個人情報が読み出され，同様に，クライアント情報認識部１２に渡される。
【００５２】そして，これらブラウザの状況を示す情報とユーザの個人情報からなるクライアント情報は，何らかの情報を取るためにユーザが入力した情報送信要求とともに，通信伝送路３を通って情報配信サーバ２の情報送受信制御部２３に送られる（ステップｓ３）。
【００５３】一方，情報配信サーバ２では，クライアント情報機器１から送られてきた情報送信要求と，クライアント情報（ユーザの個人情報とブラウザの状況を示す情報）を受け取ると（ステップｓ４），情報送信要求に基づいてデータベース部２１から情報を取り出すとともに，取り出された情報に対して，送られてきたクライアント情報（ユーザの個人情報とブラウザの状況を示す情報）を解釈し，どのように処理すれば，ユーザにとって見やすい表示となるか，つまり，クライアント情報機器１で見やすい表示が行えるかを判断し，その判断に基づいて情報を選択，作成，さらには再構成などの処理を行う（ステップｓ５）。具体的には，ユーザ情報（ブラウザの状況を示す情報およびユーザの個人情報）に基づいて次の（ａ）〜（ｆ）のような処理を施す。
【００５４】（ａ）視力の弱いユーザに対しては，大きめの文字とするために文書を拡大するなどの処理を行う。
【００５５】（ｂ）色弱のユーザに対しては，そのユーザが見えにくい色の表示を行わないように情報の中に存在する色を変更する。たとえば，背景の色を変更して文字を見やすくするというような処理を行う。
【００５６】（ｃ）表示ウインドウの縦横のサイズに応じて，改行，改ページを設定し，スクロールし易くする。
【００５７】（ｄ）クライアント情報機器が解像度の低い表示手段を使用している場合は，全般に文字や絵を大きくする。場合によっては，絵を削除したりする処理も施す。さらに，ブリンクなどをなくすようにする。
【００５８】（ｅ）表示能力（表示速度や色数）の劣るクライアント情報機器の場合は，画像の解像度を減らしたり，省略したりする。これは，一般には，情報配信サーバ２側は，クライアント情報機器の事情に関係なく一定のデータを送るので，非力なＣＰＵを持つ端末では負担が大きくなることに対処するために行う処理である。
【００５９】以上（ａ）〜（ｅ）のような処理を施したのち，クライアント情報機器１にユーザの情報送信要求に基づいた情報を送信する（ステップｓ６）。
【００６０】このように，あるユーザが情報配信サーバ２に対して何らかの情報の送信を依頼しようとする際，クライアント情報機器１側では，クライアント情報認識部１２によって，そのユーザの個人情報（特に，ここでは，ユーザの視力や見づらい色など）やそのユーザが使用する情報機器におけるブラウザの状況（表示ウインドウの縦横のサイズや解像度など）などをクライアント情報として取り出す。そして，このクライアント情報を情報送信要求とともに情報配信サーバ２に送る。
【００６１】そして，情報配信サーバ２では，ユーザ側から送られてきたクライアント情報から，ユーザ個人の様々な状況や使用するクライアント情報機器１におけるブラウザの状況を判断し，それに適応した情報の選択，作成，さらには，再構成などの処理を行ったのち，クライアント情報機器１側に送信する。これにより，送られてくる情報は，個々のユーザの個人的な様々な状況や使用するブラウザの状況が考慮されたものとなっているため，ユーザにとっては見やすい情報となる。また，ブラウザの状況に適合するように再構成されているので，送られてきても表示しきれなかったり，見づらかったりするというようなことがなくなり，無駄な情報を極力減らすことができ，クライアント情報機器１の記憶手段の記憶領域を無駄に占有することもなく，また，通信伝送路３を無駄に使用したりすることもなくなる。」
　
記載事項カ　
「【００６２】次に，前述した（２）の処理について図３のフローチャートを参照しながらその処理手順を説明する。この（２）の処理は，前述したように，主にユーザの個人情報を情報配信サーバ２側に知らせて，情報配信サーバ２側で，そのユーザの様々な状況に適合した情報となるように，情報の選択，作成，再構成などの処理を施してクライアント情報機器１側に送るという処理内容であり，主に，ユーザの個人情報に適合した情報を提供するという処理内容である。
【００６３】クライアント情報認識部１２では，まず，ユーザの個人情報を認識する（ステップｓ１）。このユーザの個人情報というのは，前述したように，そのユーザの年齢，職業，興味の対象，日常使用している言語，その他必要に応じて視力が弱ければそれを示す情報や色弱のユーザであれば見づらい色についての情報，好みの表示レイアウトなどの情報である。
【００６４】このように，クライアント情報認識部１２によって，ユーザの個人情報が認識されると，このユーザの個人情報は，何らかの情報を取るための情報送信要求とともに通信伝送路３を通って情報配信サーバ２に送られる（ステップｓ２）。
【００６５】一方，情報配信サーバ２では，クライアント情報機器１から送られてきた情報送信要求と，ユーザの個人情報を受け取ると（ステップｓ３），情報送信要求に基づいてデータベース部２１から情報を取り出すとともに，取り出された情報に対して，送られてきたユーザの個人情報を解釈し，どのように処理すればそのユーザに適応した情報となるかを判断し，その判断に基づいて情報を選択，作成，再構成するなどの処理を施す（ステップｓ４）。具体的には，ユーザの個人情報に基づいて次の（ａ）〜（ｈ）のような処理を施す。
【００６６】（ａ）ユーザの日常使用言語が日本語であれば，情報送信要求に該当する情報のうち，できるだけ日本語で書かれたページを選択する。本文まですべて日本語で書かれたページがなければ，少なくともタイトルや項目は日本語に変換してその情報の概要程度はユーザが理解できるような情報とする。これは，サイトにより複数の言語バージョンを用意していることが多いので対応することができる。
【００６７】（ｂ）ユーザが未成年である場合には，未成年のユーザに不適切な情報は送信しない。
【００６８】（ｃ）たとえば情報送信要求がその日のニュースなどである場合，それを要求したユーザが子供や幼児である場合，年齢相応にアレンジしたバージョンを送信する。
【００６９】（ｄ）年齢など習熟度に応じた漢字表示やことば使いに変更して送信する。
【００７０】（ｅ）ユーザの仕事の業種や興味の対象などに応じて，たとえば，ニュースなどの記事の配列や見出しの大きさを変更して送信する。一例として，ユーザの職業が情報処理に関する仕事であれば，その日にそれに関する記事が有った場合，それをトップ記事とするというような処理を施す。
【００７１】（ｆ）ユーザの仕事の業種や興味の対象などに応じて，推奨する情報を用意する。つまり，この分野のユーザならこのような情報を望んでいると判断してそれを送付する。
【００７２】（ｇ）ユーザの仕事の業種や興味の対象などに応じて，興味を示しそうな広告，宣伝，ダイレクトメールなどを選定して送付する。
【００７３】（ｈ）そのユーザの好きな形式（たとえば，背景の色や，絵が多い）などに変更する。
【００７４】以上（ａ）〜（ｈ）のような処理を施したのち，クライアント情報機器１にユーザの情報送信要求に基づいた情報を送信する（ステップｓ５）。
【００７５】このように，あるユーザが情報配信サーバ２に対して何らかの情報の送信を依頼しようとする際，クライアント情報機器１側では，クライアント情報認識部１２によって，そのユーザの個人情報をクライアント情報として取り出す。そして，このクライアント情報を情報送信要求とともに情報配信サーバ２に送る。
【００７６】そして，情報配信サーバ２では，ユーザ側から送られてきたクライアント情報から，ユーザ個人の様々な状況を判断し，それに適応した情報の選択，作成，さらには，再構成などの処理を行ったのち，クライアント情報機器１側に送信する。これにより，送られてくる情報は，個々のユーザの個人的な様々な状況が考慮されたものとなる。また，無駄な情報は送らないので，クライアント情報機器１の記憶手段の記憶領域を無駄に使うこともなく，さらに，通信伝送路３を無駄に使用したりすることもなくなる。」
　
記載事項キ　
「【００７７】なお，以上説明した（１）と（２）は，どちらか一方を行うことでも効果は得られるが，両者を共に行うようにすればよい一層大きな効果が得られる。また，前述した（１）と（２）において，（１）の（ａ）〜（ｅ）で示される各処理項目，（２）の（ａ）〜（ｈ）で示される各処理項目はその一例であって，これらの項目を全て行う必要もなく，取捨選択することも勿論可能であり，さらに，（１）と（２）の各処理項目を適宜組み合わせることも可能である。また，他の処理を付け加えることも勿論可能である。」
　
　これら記載事項及び各図を考慮して引用例に記載された発明を分説して記載すると，下記のとおりとなる（以下，この発明を「引用発明」といい，また，分説された構成を「構成要件Ａ」などという。）。
　
　　　　　　　　　　　　　　　　　記
　
Ａ　インターネットやイントラネットなどのネットワーク上の情報を閲覧・利用する際，情報を受け取る側のクライアント情報機器（１）の状況やそれを利用するユーザの個人的な状況を，情報配信サーバ（２）側が把握してユーザ側の状況に適応した情報を送るようにした情報配信方法であって，
Ｂ　システムは，クライアント情報機器（１）と情報配信サーバ（２），これらを接続する通信伝送路（３）で構成され，
Ｃ　クライアント情報機器（１）は，ユーザブラウザ（１１），クライアント情報認識部（１２），ユーザ個人情報登録部（１３），カード読み取り部（１４）などを有し，
Ｄ　ユーザ個人情報登録部（１３）には，このクライアント情報機器（１）を使用するユーザについての個人的な状況を示す内容，すなわちユーザ個人情報が予め登録されていて，
Ｅ　その登録内容としては，そのユーザの年齢，職業，興味の対象，日常使用している言語，その他必要に応じて，視力が弱ければそれを示す情報や色弱があれば見づらい色についての情報，好みの表示レイアウトなど，それぞれのユーザの個人的な状況を示す内容であり，
Ｆ　ユーザ個人情報を登録する際，各項目を予め用意したアンケート形式にして，ユーザが，それぞれの項目について，登録しておきたい項目に自己の状況を書き込むようにすれば，ユーザにとっては登録に要する手間を省くことができるので都合がよく，また，ユーザ個人情報は，ＩＣカードなどの個人識別カード（１５）に登録しておいてもよく，個人識別カード（１５）をカード読み取り部（１４）に挿入することにより，その個人識別カード（１５）の内容を読み取って，それをクライアント情報処理部（１２）に渡すようにし，
Ｇ　情報配信サーバ（２）は，配信すべきデータを格納するデータベース部（２１），クライアント情報機器（１）から送られてきたユーザ個人情報やブラウザの状況を示す情報などを基にして，配信すべき情報を選択，作成，さらには，再構成などの処理を行う配信情報処理部（２２），クライアント情報機器（１）との間で情報の送受信制御を行う情報送受信制御部（２３）などを有し，
Ｈ　以下の第１及び第２の処理を共に行う情報配信方法。
　
（第１の処理）
Ｉ　クライアント情報認識部（１２）では，まず，ブラウザの状況を認識し，次に，ユーザの個人情報を認識し，
Ｊ　これらブラウザの状況を示す情報とユーザ個人情報からなるクライアント情報は，何らかの情報を取るためにユーザが入力した情報送信要求とともに，通信伝送路（３）を通って情報配信サーバ（２）の情報送受信制御部（２３）に送られ，
Ｋ　情報配信サーバ（２）では，クライアント情報機器（１）から送られてきた情報送信要求と，クライアント情報を受け取ると，情報送信要求に基づいてデータベース部（２１）から情報を取り出すとともに，取り出された情報に対して，送られてきたクライアント情報を解釈し，どのように処理すれば，ユーザにとって見やすい表示となるか，つまり，クライアント情報機器（１）で見やすい表示が行えるかを判断し，その判断に基づいて情報を選択，作成，さらには再構成などの処理を行い，
Ｌ　具体的には，（１ａ）視力の弱いユーザに対しては，大きめの文字とするために文書を拡大する，（１ｂ）色弱のユーザに対しては，そのユーザが見えにくい色の表示を行わないように情報の中に存在する色を変更する，（１ｃ）表示ウインドウの縦横のサイズに応じて，改行，改ページを設定し，スクロールし易くする，（１ｄ）クライアント情報機器が解像度の低い表示手段を使用している場合は，全般に文字や絵を大きくする，（１ｅ）表示能力（表示速度や色数）の劣るクライアント情報機器の場合は，画像の解像度を減らしたり，省略したりする，
Ｍ　以上のような処理を施したのち，クライアント情報機器（１）にユーザの情報送信要求に基づいた情報を送信する。
　
（第２の処理）
Ｎ　クライアント情報認識部（１２）では，まず，ユーザ個人情報を認識し，
Ｏ　ユーザ個人情報は，何らかの情報を取るための情報送信要求とともに通信伝送路（３）を通って情報配信サーバ（２）に送られ，
Ｐ　情報配信サーバ（２）では，クライアント情報機器（１）から送られてきた情報送信要求と，ユーザの個人情報を受け取ると，情報送信要求に基づいてデータベース部（２１）から情報を取り出すとともに，取り出された情報に対して，送られてきたユーザの個人情報を解釈し，どのように処理すればそのユーザに適応した情報となるかを判断し，その判断に基づいて情報を選択，作成，再構成するなどの処理を施し，
Ｑ　具体的には，（２ａ）ユーザの日常使用言語が日本語であれば，情報送信要求に該当する情報のうち，できるだけ日本語で書かれたページを選択する，本文まですべて日本語で書かれたページがなければ，少なくともタイトルや項目は日本語に変換してその情報の概要程度はユーザが理解できるような情報とする，（２ｂ）ユーザが未成年である場合には，未成年のユーザに不適切な情報は送信しない，（２ｃ）たとえば情報送信要求がその日のニュースなどである場合，それを要求したユーザが子供や幼児である場合，年齢相応にアレンジしたバージョンを送信する，（２ｄ）年齢など習熟度に応じた漢字表示やことば使いに変更して送信する，（２ｅ）ユーザの仕事の業種や興味の対象などに応じて，たとえば，ニュースなどの記事の配列や見出しの大きさを変更して送信する，（２ｆ）ユーザの仕事の業種や興味の対象などに応じて，推奨する情報を用意する，（２ｇ）ユーザの仕事の業種や興味の対象などに応じて，興味を示しそうな広告，宣伝，ダイレクトメールなどを選定して送付する，（２ｈ）そのユーザの好きな形式（たとえば，背景の色や，絵が多い）などに変更する，
Ｒ　以上のような処理を施したのち，クライアント情報機器（１）にユーザの情報送信要求に基づいた情報を送信する。
　
５　対比
(1)　情報を受け付け，提供するステップ
　構成要件Ｄ及びＦからみて，引用発明の構成要件Ｉ及びＮの処理に先立って，引用発明が，ユーザ個人情報を読み取る処理（以下「読み取り処理」という。）を行うことは明らかである。
　また，引用発明の構成要件Ｅに列挙された情報のうち「視力が弱ければそれを示す情報や色弱があれば見づらい色についての情報」は「使用者の視覚障害の症状」であり，また，「ユーザの年齢，職業，興味の対象，日常使用している言語」，「好みの表示レイアウト」の情報は，「使用者の再生嗜好についての情報」である。
　そうしてみると，引用発明が行うことが明らかな読み取り処理から構成要件Ｉ，Ｊ，Ｎ及びＯに至る処理と，本件補正後発明１の「使用者の視覚障害の症状及び再生嗜好についての情報を受け付け，標準化された記述構造で提供するステップ」は，「使用者の視覚障害の症状及び再生嗜好についての情報を受け付け，提供するステップ」の点で共通する。
　
(2)　ビジュアル・コンテンツを変換する方法を判定するステップ
　構成要件Ｇ，構成要件Ｋ，Ｌ，Ｐ及びＱからみて，引用発明の構成要件Ｋ及びＰにおける判断処理と，本件補正後発明１の「前記情報を使用して前記受信したビジュアル・コンテンツを変換する方法を判定するステップ」は，「前記情報を使用してビジュアル・コンテンツを変換する方法を判定するステップ」の点で共通する。
　
(3)　ビジュアル・コンテンツを変換するステップ
　構成要件Ｇ，構成要件Ｋ，Ｌ，Ｐ及びＱからみて，引用発明の構成要件Ｋ及びＰにおける情報の選択，作成，再構成などの処理と，本件補正後発明１の「前記判定された方法により，前記受信したビジュアル・コンテンツを変換するステップ」は，「前記判定された方法により，前記ビジュアル・コンテンツを変換するステップ」の点で共通する。
　
(4)　使用者に表示するステップ
　技術常識にかんがみると，引用発明の構成要件Ｍ及びＲの処理の後，引用発明が，送信された情報の内容をクライアント情報機器に（１）に表示する処理（以下「表示処理」という。）を行うことは明らかである。
　そうしてみると，引用発明が行うことが明らかな表示処理は，本件補正後発明１の「前記変換されたビジュアル・コンテンツを使用者に表示するステップ」に相当する。
　
(5)　ビジュル・コンテンツを適応させる方法
　(1)ないし(4)の対比結果及び引用発明の各構成要件を総合的に判断すると，引用発明の「情報配信方法」と本件補正後発明１の「ビジュル・コンテンツを適応させる方法」は，「使用者の視覚障害の症状及び再生嗜好にビジュル・コンテンツを適応させる方法」の点で一致する。
　
　そうしてみると，本件補正後発明１と引用発明は，
「使用者の視覚障害の症状及び再生嗜好にビジュル・コンテンツを適応させる方法であって，
　使用者の視覚障害の症状及び再生嗜好についての情報を受け付け，提供するステップと，
　前記情報を使用してビジュアル・コンテンツを変換する方法を判定するステップと，
　前記判定された方法により，前記ビジュアル・コンテンツを変換するステップと，
　前記変換されたビジュアル・コンテンツを使用者に表示するステップと，
を備える，ビジュアル・コンテンツを適応させる方法。」
の点で一致し，以下の点で相違する。
　
（相違点１）
　本件補正後発明１は，「ビジュアル・コンテンツを受信するステップ」を備えるのに対し，引用発明は，これが明らかではない点。
　
（相違点２）
　本件補正後発明１の「使用者の視覚障害の症状及び再生嗜好についての情報を」「提供するステップ」は，「標準化された記述構造で」提供するステップであるのに対して，引用発明の構成要件Ｊ及びＯの処理は，これが明らかではない点。
　
（相違点３）
　本件補正後発明１の「使用者の再生嗜好についての情報」は「使用者のコンテンツ資源優先順位嗜好を含む」のに対して，引用発明の構成要件Ｅはこれが明らかではない点。
　
６　判断
(1)　相違点１について
　引用発明の「配信情報処理部（２２）」（構成要件Ｇ）は「データベース部（２１）から情報を取り出す」（構成要件Ｋ及びＰ）ものである。また，引用発明を具体化するに際し，引用発明の「データベース部（２１）」，「配信情報処理部（２２）」及び「情報送受信制御部（２３）」を，それぞれ「データベースサーバ」，「アプリケーションサーバ」及び「ＷＷＷサーバ」として構成することは「インターネットやイントラネットなどのネットワーク上の」（構成要件Ａ）システムを構成するに際しての常套手段である。
そうしてみると，引用発明の「データベース部（２１）から情報を取り出す」（構成要件Ｋ及びＰ）処理を，（アプリケーションサーバがデータベースサーバから）「ビジュアル・コンテンツを受信するステップ」とすることは，当業者が容易にできることである。
　なお，仮に「ビジュアル・コンテンツを受信するステップ」を「ビジュアル・コンテンツを使用者の端末が受信するステップ」というように構成要件を付加して限定的に解釈するとしても，以下のとおりである。
　すなわち，引用発明の構成要件Ｌ及びＱに列挙された処理のうち，少なくとも（１ａ）大きめの文字とする処理，（１ｂ）色を変更する処理，（２ｈ）背景の色を変更する処理，については，クライアント情報機器（１）において容易に処理可能なものであり，また，通信伝送路の無駄遣い（引用例の段落００１１）の問題も招かないことは技術常識である。そうしてみると，引用発明において，「配信情報処理部（２２）」の処理に替えて，あるいは，「配信情報処理部（２２）」の処理に加えて，クライアント情報機器（１）においてこれら処理を行うようにすることは，当業者が容易にできることである。また，そのようにしてなるものは，「ビジュアル・コンテンツを受信するステップ」を備えるものである。
　あるいは，視覚障害者への対処として，テキストによる情報の理解ではなく音声による情報の理解に適するようにテキストの情報を音声情報に変換すること（以下「音声読み上げ処理」という。）は周知技術である（必要ならば，特開２００１−３３１４０７号公報，特開２００２−２８８０７１号公報，特開２００２−１４８９３号公報，特開平１０−７８９５２号公報を参照。）ところ，通信伝送路の無駄遣いを考慮するならば，音声読み上げ処理は，「配信情報処理部（２２）」ではなく「クライアント情報機器（１）」において行うべきである。そうしてみると，引用発明において，「配信情報処理部（２２）」の処理に替えて，クライアント情報機器（１）において音声読み上げ処理を行うようにすることは，当業者が容易にできることである。また，そのようにしてなる方法は，「ビジュアル・コンテンツを受信するステップ」を備えるものである。
　
(2)　相違点２について
　引用発明は「インターネットやイントラネットなどのネットワーク上の情報を閲覧・利用する」（構成要件Ａ）ことに関するものである。このような技術分野において情報の形式を「標準化された記述構造」とすることは，当業者が当然に思い到ることである。
　また，本件補正後発明１の「標準化された記述構造」は，記述構造が標準化されているというだけにとどまり，特定の記述構造を意味するものではないから，格別のものということはできない。
　
(3)　相違点３について
　本件補正後発明１の「コンテンツ資源優先順位嗜好」の一つである「形式優先順位嗜好」は「ビジュアル・コンテンツの型についての嗜好を表す」（段落００１６）ものであり，また，コンテンツを音声に形式変換することが含まれる（段落００２９）ものである。
　他方，相違点１についての判断で述べたとおり，視覚障害者への対処として音声読み上げ処理は周知技術である。そうしてみると，引用発明において，ユーザの個人情報に「音声読み上げ処理を行う」という情報を含めるようにすることは，当業者が容易にできることである。また，そのようにしてなるユーザ個人情報は，「使用者の再生嗜好についての情報は，使用者のコンテンツ資源優先順位嗜好を含む」ものといえる。
　
７　小括
　以上のとおり，本件補正後発明１は引用例に記載された発明及び周知技術に基いて当業者が容易に発明することができたものであるから，特許法第２９条第２項の規定により特許出願の際独立して特許を受けることができない。
　したがって，本件補正は特許法第１７条の２第５項で準用する同法第１２６条第５項の規定に違反するものであるから，同法第１５９条第１項で読み替えて準用する同法第５３条第１項の規定により却下されるべきものである。
　
第３　本願発明
１　本願発明
　本件補正は却下されたので，本件補正前発明１（以下「本願発明」という。）は，手続補正１により補正された特許請求の範囲，並びに，明細書の記載及び図面からみて，手続補正１により補正された特許請求の範囲の請求項１に記載された事項により特定される，下記のものである。
　
　　　　　　　　　　　　　　　　　記
　
使用者の視覚障害の症状及び再生嗜好にビジュル・コンテンツを適応させる方法であって，
　ビジュアル・コンテンツを受信するステップと，
　使用者の視覚障害の症状及び再生嗜好についての情報を受け付け，標準化された記述構造で提供するステップと，
　前記情報を使用して前記受信したビジュアル・コンテンツを変換する方法を判定するステップと，
　前記判定された方法により，前記受信したビジュアル・コンテンツを変換するステップと，
　前記変換されたビジュアル・コンテンツを使用者に表示するステップと，
を備える，ビジュアル・コンテンツを適応させる方法。
　
２　引用発明
　原査定の拒絶の理由で引用された引用例及びその記載事項は，「第２　補正の却下の決定」の「４　引用例」に記載したとおりである。
　
３　対比及び判断
　本願発明は，本件補正後発明１を特定するために必要な事項である「使用者の視覚障害の症状及び再生嗜好についての情報」のうち「使用者の」「再生嗜好についての情報」について，「使用者のコンテンツ資源優先順位嗜好を含む」という構成を省いたものである。
　そうすると，本願発明の構成要件を全て含み，さらに他の構成要件を付加したものに相当する本件補正後発明１が「第２　補正の却下の決定」で述べた理由により引用例に記載された発明及び周知技術に基いて当業者が容易に発明をすることができたものであるから，本願発明も同様の理由により，引用例に記載された発明及び周知技術に基いて当業者が容易に発明をすることができたものである。
　
４　小括
　以上のとおり，本願発明は引用発明及び周知技術に基いて当業者が容易に発明することができたものであるから，特許法第２９条第２項の規定により特許を受けることができない。
　
第４　むすび
　したがって，その余の請求項に係る発明について検討するまでもなく，本願は拒絶すべきものである。
　よって，結論のとおり審決する。